【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
現像処理済みの写真フイルム上のプリント対象画像を撮像してプリント参照画像を作成し、
このプリント参照画像に対してメッセージを記録し、
このメッセージが記録されたプリント参照画像から前記メッセージ及び前記メッセージの記録位置を読み取り、
読み取った前記メッセージ及び前記メッセージの記録位置に基づき前記プリント対象画像に前記メッセージを画像合成してプリントすることを特徴とするメッセージ付きプリント作成方法。
【請求項２】
前記プリント参照画像を発注者に電送し、発注者側でメッセージを記録したプリント参照画像を受注者に電送することを特徴とする請求項１記載のメッセージ付きプリント作成方法。
【請求項３】
前記プリント参照画像を発注者に電送し、発注者側でメッセージ及びメッセージの記録位置を受注者に電送することを特徴とする請求項１記載のメッセージ付きプリント作成方法。
【請求項４】
現像処理済みの写真フイルム上のプリント対象画像を撮像してプリント参照画像を作成する手段と、
プリント参照画像を発注者に、メッセージが記録されたプリント参照画像を受注者に電送する手段と、
前記メッセージが記録されたプリント参照画像から前記メッセージ及び前記メッセージの記録位置を読み取る手段と、
読み取った前記メッセージ及び前記メッセージの記録位置に基づき前記プリント対象画像に前記メッセージを画像合成してプリントする手段とを備えたことを特徴とするメッセージ付きプリント作成システム。
【請求項５】
前記電送する手段はファクシミリ装置から構成され、受注者側ファクシミリ装置はプリント参照画像を発注者に送信するとともに、発注者からのメッセージが記録されたプリント参照画像を受信することを特徴とする請求項４記載のメッセージ付きプリント作成システム。
【請求項６】
前記電送する手段はパソコン通信装置から構成され、受注者側パソコン通信装置はプリント参照画像を発注者に送信するとともに、発注者からのメッセージが記録されたプリント参照画像を受信することを特徴とする請求項４記載のメッセージ付きプリント作成システム。
【請求項７】
現像処理済みの写真フイルム上のプリント対象画像を撮像してプリント参照画像を作成する手段と、
プリント参照画像を発注者に、メッセージ及びこのメッセージの記録位置を受注者に電送する手段と、
前記メッセージ及び前記メッセージの記録位置に基づき前記プリント対象画像に前記メッセージを画像合成してプリントする手段とを備えたことを特徴とするメッセージ付きプリント作成システム。
【請求項８】
入力画像メモリに書き込まれた画像データに基づきプリント参照画像を作成し、
このプリント参照画像に対してメッセージを記録し、
このメッセージが記録されたプリント参照画像から前記メッセージ及び前記メッセージの記録位置を読み取り、
読み取った前記メッセージ及び前記メッセージの記録位置に基づき前記プリント対象画像に前記メッセージを画像合成してプリントすることを特徴とするメッセージ付きプリント作成方法。
【請求項９】
前記プリント参照画像を発注者に電送し、発注者側でメッセージを記録したプリント参照画像を受注者に電送することを特徴とする請求項８記載のメッセージ付きプリント作成方法。
【請求項１０】
前記プリント参照画像を発注者に電送し、発注者側でメッセージ及びメッセージの記録位置を受注者に電送することを特徴とする請求項８記載のメッセージ付きプリント作成方法。
【請求項１１】
入力画像メモリに書き込まれた画像データに基づきプリント参照画像を作成する手段と、
プリント参照画像を発注者に、メッセージが記録されたプリント参照画像を受注者に電送する手段と、
前記メッセージが記録されたプリント参照画像から前記メッセージ及び前記メッセージの記録位置を読み取る手段と、
読み取った前記メッセージ及び前記メッセージの記録位置に基づき前記プリント対象画像に前記メッセージを画像合成してプリントする手段とを備えたことを特徴とするメッセージ付きプリント作成システム。
【請求項１２】
前記電送する手段はファクシミリ装置から構成され、受注者側ファクシミリ装置はプリント参照画像を発注者に送信するとともに、発注者からのメッセージが記録されたプリント参照画像を受信することを特徴とする請求項１１記載のメッセージ付きプリント作成システム。
【請求項１３】
前記電送する手段はパソコン通信装置から構成され、受注者側パソコン通信装置はプリント参照画像を発注者に送信するとともに、発注者からのメッセージが記録されたプリント参照画像を受信することを特徴とする請求項１１記載のメッセージ付きプリント作成システム。
【請求項１４】
入力画像メモリに書き込まれた画像データに基づきプリント参照画像を作成する手段と、
プリント参照画像を発注者に、メッセージ及びこのメッセージの記録位置を受注者に電送する手段と、
前記メッセージ及び前記メッセージの記録位置に基づき前記プリント対象画像に前記メッセージを画像合成してプリントする手段とを備えたことを特徴とするメッセージ付きプリント作成システム。
【手続補正２】
【補正対象書類名】明細書
【補正対象項目名】０００６
【補正方法】変更
【補正の内容】
【０００６】
【課題を解決するための手段】
上記目的を達成するために、請求項１記載のメッセージ付きプリント作成方法は、現像処理済みの写真フイルム上のプリント対象画像を撮像してプリント参照画像を作成し、このプリント参照画像に対してメッセージを記録し、このメッセージが記録されたプリント参照画像から前記メッセージ及び前記メッセージの記録位置を読み取り、読み取った前記メッセージ及び前記メッセージの記録位置に基づき前記プリント対象画像に前記メッセージを画像合成してプリントするようにしたものである。なお、プリント参照画像を発注者に電送し、発注者側でメッセージを記録したプリント参照画像を受注者に電送することが好ましい。また、メッセージを記録したプリント参照画像を受注者に電送する代わりに、メッセージ及びメッセージの記録位置を受注者に電送してもよく、この場合にはプリント参照画像からメッセージを抽出する必要がなくなる。請求項８記載のメッセージ付きプリント作成方法では、請求項１記載の参照画像の作成に代えて、入力画像メモリに書き込まれた画像データに基づきプリント参照画像を作成することを特徴とする。
【手続補正３】
【補正対象書類名】明細書
【補正対象項目名】０００７
【補正方法】変更
【補正の内容】
【０００７】
また、請求項４記載のメッセージ付きプリント作成システムは、現像処理済みの写真フイルム上のプリント対象画像を撮像してプリント参照画像を作成する手段と、プリント参照画像を発注者に、メッセージが記録されたプリント参照画像を受注者に電送する手段と、前記メッセージが記録されたプリント参照画像から前記メッセージ及び前記メッセージの記録位置を読み取る手段と、読み取った前記メッセージ及び前記メッセージの記録位置に基づき前記プリント対象画像に前記メッセージを画像合成してプリントする手段とを備えたものである。なお、電送する手段をファクシミリ装置から構成し、受注者側ファクシミリ装置はプリント参照画像を発注者に送信するとともに、発注者からのメッセージが記録されたプリント参照画像を受信することが好ましい。また、電送する手段をパソコン通信装置から構成し、受注者側パソコン通信装置はプリント参照画像を発注者に送信するとともに、発注者からのメッセージが記録されたプリント参照画像を受信することが好ましい。また、メッセージが記録されたプリント参照画像を電送する代わりに、メッセージ及びメッセージの記録位置を電送してもよい。請求項１１記載のメッセージ付きプリント作成システムでは、請求項４記載の参照画像の作成に代えて、入力画像メモリに書き込まれた画像データに基づきプリント参照画像を作成することを特徴とする。